(57)【要約】【課題】ＧＰＳ衛星からの電波が届かない場所であっても位置情報を取得することができる位置情報取得方法を提供すること。【解決手段】特定の場所に敷設されたマーカを用いて位置情報を取得する位置情報取得方法であって、携帯機器をマーカに接近させた状態で所定の信号を携帯機器からマーカに送信するステップと、携帯機器から所定の信号を受信したことに応答して、メモリ部に格納された識別情報を読み出し、当該識別情報を携帯機器に送信するステップと、マーカからの識別情報を受信して、当該識別情報をデータベースサーバに送信するステップと、識別情報に対応する位置情報をデータベースを照会することにより取得して携帯機器に送信するステップと、データベースサーバから受信した位置情報を所定の形態でユーザに告知するステップと、を具備する。【選択図】図３
2006041834.tif 000002
【特許請求の範囲】
【請求項１】
特定の場所に敷設されたマーカを用いて位置情報を取得する位置情報取得方法であって、
携帯機器を前記マーカに接近させた状態で所定の信号を前記携帯機器から前記マーカに送信するステップと、
前記携帯機器から所定の信号を受信したことに応答して、メモリ部に格納された識別情報を読み出し、当該識別情報を前記携帯機器に送信するステップと、
前記マーカからの識別情報を受信して、当該識別情報をデータベースサーバに送信するステップと、
前記識別情報に対応する位置情報をデータベースを照会することにより取得して前記携帯機器に送信するステップと、
前記データベースサーバから受信した位置情報を所定の形態でユーザに告知するステップと、
を具備することを特徴とする位置情報取得方法。
【請求項２】
前記マーカは、ＲＦＩＤ（Radio Frequency Identification）タグであることを特徴とする請求項１に記載の位置情報取得方法。
【請求項３】
前記マーカは、ＧＰＳ(Global Positioning System)からの電波が届かない場所に予め敷設されることを特徴とする請求項１または２に記載の位置情報取得方法。
【請求項４】
特定の場所に敷設されたマーカを用いて位置情報を取得する位置情報取得方法であって、
携帯機器を前記マーカに接近させた状態で前記マーカの識別情報を読み取り、当該識別情報をデータベースサーバに送信するステップと、
前記識別情報に対応する位置情報をデータベースを照会することにより取得して前記携帯機器に送信するステップと、
前記データベースサーバから受信した位置情報を所定の形態でユーザに告知するステップと、
を具備することを特徴とする位置情報取得方法。
【請求項５】
前記マーカはバーコードであり、前記携帯機器はバーコード読み取り手段を備えることを特徴とする請求項４に記載の位置情報取得方法。
【請求項６】
前記マーカは、ＧＰＳ(Global Positioning System)からの電波が届かない場所に予め敷設されることを特徴とする請求項４または５に記載の位置情報取得方法。
【発明の詳細な説明】
【技術分野】
【０００１】
本発明は、特定の場所に敷設されたマーカを用いて位置情報を取得する位置情報取得方法に関する。
【背景技術】
【０００２】
近年、携帯機器の一つとしての携帯電話は、本来の電話機能に加えて、ＧＰＳ（Global Positioning System、以下、ＧＰＳと呼ぶ）を利用して現在の位置情報を取得することが可能になっている。例えば、特開平１０−２１０５４８号公報には、携帯電話機能とＧＰＳ機能との双方を備えた位置情報取得システムが開示されている。
【特許文献１】特開平１０−２１０５４８号公報
【発明の開示】
【発明が解決しようとする課題】
【０００３】
しかしながら、ＧＰＳによる位置情報の取得方法では、例えば地下街等、ＧＰＳ衛星からの電波が届かない場所では利用することができない、という問題があった。
【０００４】
本発明はこのような課題に着目してなされたものであり、その目的とするところは、ＧＰＳ衛星からの電波が届かない場所であっても位置情報を取得することができる位置情報取得方法を提供することにある。
【課題を解決するための手段】
【０００５】
上記の目的を達成するために、第１の発明は、特定の場所に敷設されたマーカを用いて位置情報を取得する位置情報取得方法であって、携帯機器を前記マーカに接近させた状態で所定の信号を前記携帯機器から前記マーカに送信するステップと、前記携帯機器から所定の信号を受信したことに応答して、メモリ部に格納された識別情報を読み出し、当該識別情報を前記携帯機器に送信するステップと、前記マーカからの識別情報を受信して、当該識別情報をデータベースサーバに送信するステップと、前記識別情報に対応する位置情報をデータベースを照会することにより取得して前記携帯機器に送信するステップと、前記データベースサーバから受信した位置情報を所定の形態でユーザに告知するステップと、を具備する。
【０００６】
また、第２の発明は、第１の発明に係る位置情報取得方法において、前記マーカは、ＲＦＩＤ（Radio Frequency Identification）タグである。
【０００７】
また、第３の発明は、第１または第２の発明に係る位置情報取得方法において、前記マーカは、ＧＰＳ(Global Positioning System)からの電波が届かない場所に予め敷設される。
【０００８】
また、第４の発明は、特定の場所に敷設されたマーカを用いて位置情報を取得する位置情報取得方法であって、携帯機器を前記マーカに接近させた状態で前記マーカの識別情報を読み取り、当該識別情報をデータベースサーバに送信するステップと、前記識別情報に対応する位置情報をデータベースを照会することにより取得して前記携帯機器に送信するステップと、前記データベースサーバから受信した位置情報を所定の形態でユーザに告知するステップと、を具備する。
【０００９】
また、第５の発明は、第４の発明に係る位置情報取得方法において、前記マーカは、バーコードである。
【００１０】
また、第６の発明は、第４または第５の発明に係る位置情報取得方法において、前記マーカは、ＧＰＳ(Global Positioning System)からの電波が届かない場所に予め敷設される。
【発明の効果】
【００１１】
本発明によれば、ＧＰＳ衛星からの電波が届かない場所であっても位置情報を取得することができるという効果を有する。
【００１２】
また、ＧＰＳを搭載していない安価な携帯機器であっても位置情報サービスを利用することが可能になる。
【発明を実施するための最良の形態】
【００１３】
以下に、図面を参照して本発明の実施形態を詳細に説明する。図１は、本発明の位置情報取得方法が適用される位置情報取得システムの概略構成を示す図である。携帯機器（ここでは携帯電話）１００は、後述するＲＦＩＤタグに対するリーダライタとしての機能を備え、ユーザとのインタフェースとなるキー入力、マイク、スピーカ等の入出力部１０１と、ユーザに種々の情報を告知するための表示部１０２と、各部の制御を行うＣＰＵ１０３と、外部との通信を行うための機能を備えた通信回路１０４と、各部に電力を供給する電源部１０５と、信号の変復調処理を行う変復調回路１０６と、外部との無線通信を可能にするアンテナ部１０７とを備えている。
【００１４】
ＲＦＩＤタグ２００は、一意な識別を行うためのマーカとして用いられ、各部に電力を供給する電源部２０１（省略可）と、外部との無線通信を可能にするアンテナ部２０２と、信号の変復調を行う変復調回路２０３と、ＲＦＩＤタグを一意に識別するための識別情報が格納されるメモリ部２０４とを備え、ＧＰＳ衛星からの電波が届かない場所、例えば地下街等において、簡単に位置を移動できないもの（例えば建物の柱や壁、床など）に敷設される。
【００１５】
携帯機器１００と、敷設されたＲＦＩＤタグ２００とはそれぞれのアンテナ部１０７、２０２を介して無線通信が可能であり、携帯機器１００によってＲＦＩＤタグ２００のメモリ部２０４に格納された識別情報が読み出される。
【００１６】
データベースサーバ３００は、ＲＦＩＤタグ２００の識別情報を位置情報に関連付けて構成されるデータベースを備えており、携帯機器１００からデータベース照会の依頼があったときに識別情報に対応する位置情報を検索して携帯機器１００に通知する作業を行う。
【００１７】
図２は、本実施形態のデータベースを作成する手順を説明するためのフローチャートである。まず、地下街の所定の場所に複数のマーカをそれぞれ敷設する（ステップＳ１）。次に、建物の設計図面等を参照して各マーカが敷設された位置を測位する（ステップＳ２）。次に、各識別情報と測位により取得した位置情報とを関連付けたデータベースを作成する（ステップＳ３）。作成されたデータベースはデータベースサーバ３００によりアクセス可能な位置に配置される。
【００１８】
図３は、携帯機器の位置情報を取得する手順を説明するためのフローチャートである。まず、携帯機器１００を建物に敷設されたＲＦＩＤタグ２００に接近させた状態でアンテナ部１０７から制御信号を含む電波をＲＦＩＤタグ２００へ送信する（ステップＳ１１）。ＲＦタグ２００のアンテナ部２０２は、携帯機器１００からの電波を受信する（ステップＳ１２）。ＲＦＩＤタグ２００内には、アンテナ部２０２の共振作用により起電力が発生される（ステップＳ１３）。そして、発生した電力により回路を起動し、メモリ部２０４に格納されている識別情報を読み出す（ステップＳ１４）。次に、読み出した識別情報を変復調回路２０３で変調し、それをＲＦＩＤタグ２００のアンテナ部２０２から送信する（ステップＳ１５）。
【００１９】
携帯機器１００のアンテナ部１０７は、ＲＦＩＤタグ２００からの識別情報を含む電波を受信する（ステップＳ１６）。変復調回路１０６により識別情報を復調し、復調した識別情報を通信回路１０４を介してデータベースサーバ１００へ送信する（ステップＳ１７）。
【００２０】
データベースサーバ３００では、データベースを照合して送られてきた識別情報に対応する位置情報を取得する（ステップＳ１８）。次に、データベースサーバ３００は、取得した位置情報を携帯機器１０１へ送信する（ステップＳ１９）。
【００２１】
携帯機器１０１は、データベースサーバ３００からの位置情報を受信し（ステップＳ２０）、受信した位置情報をユーザにより視認可能な形態で表示部１０２に表示する（ステップＳ２１）。あるいは、音声の形態でスピーカから出力するようにしても良い。
【００２２】
上記した実施形態によれば、特定の場所に敷設されたマーカを用いて位置情報を取得するようにしたので、ＧＰＳ衛星からの電波が届かない場所であっても位置情報を取得することができる。また、ＧＰＳ機能を搭載していない安価な携帯機器であっても位置情報サービスを利用することが可能になる。
【００２３】
なお、本実施形態ではマーカとしてパッシブ型のＲＦＩＤタグを用いた場合について説明したが、これに限定されることはなく、アクティブ型のＲＦＩＤタグを用いることも可能である。また、例えばバーコードをマーカとして用いて本発明を実施することも可能であるし、赤外線通信機能を利用して認識されるマーカを使用することも可能である。
【００２４】
さらに、単に携帯機器１０１にマーカの位置情報を送信するだけでなく、それと併せてマーカの設置された地下街や特定施設内などの構内地図を別のサーバ経由で提供し、携帯機器１０１にて両者を重ね合わせて表示させてもよい。この場合には、当該サーバにて構内案内のＷｅｂサービスを行うようにしてもよく、これによりＧＰＳ機能に依存しない道案内サービスを実現することも可能である。例えば、スタジアム内に設置されたマーカを携帯端末１０１に認識させることで開始され、チケットに記載された情報を入力することで利用可能な座席をマーキングして表示するスタジアム内の案内サービスを実現することができる。この場合には、チケットにマーカを持たせて情報の入力をさらに自動化するようにしても構わない。
【図面の簡単な説明】
【００２５】
【図１】本発明の位置情報取得方法が適用される位置情報取得システムの概略構成を示す図である。
【図２】本実施形態のデータベースを作成する手順を説明するためのフローチャートである。
【図３】携帯機器の位置情報を取得する手順を説明するためのフローチャートである。
【符号の説明】
【００２６】
１００…携帯機器（リーダライタ）、１０１…入出力部、１０２…表示部、１０３…ＣＰＵ，１０４…通信回路、１０５…電源部、１０６…変復調回路、１０７…アンテナ部、１５０…ネットワーク、２００…ＲＦＩＤタグ、２０１…電源部、２０２…アンテナ部、２０３…変復調回路、２０４…メモリ部、３００…データベースサーバ。
【図１】
2006041834.tif 000003
【図２】
2006041834.tif 000004
【図３】
2006041834.tif 000005